(57)【要約】【課題】発音が困難な階名をより容易に発音させることができるとともに、色のバリエーションも容易に増やすことができるリガチャーを提供する。【解決手段】リガチャー１００は、固定リング体１０１と緊縛部１０２とによって構成されている。固定リング体１０１は、シングルリード楽器におけるリード９１をマウスピース９０に押し付けるためのアルミニウム製の板状部材である。また、固定リング体１０１は、アルミニウム製の帯状の平板材の両端部を隙間を介して互いに対向させるとともに同両端部間をリード９１が配置されたマウスピース９０の外周形状に対応した略リング状に成形して形成されている。緊縛部１０２は、固定リング体１０１の両端部を互いに寄せ合うことにより固定リング体１０１の内径を縮小させるためのアルミニウム製の部品であり、雄ネジ体１０３、貫通体１０４および雌ネジ体１０５によって構成されている。【選択図】  図１
2012022055.tif 000002
【特許請求の範囲】
【請求項１】
シングルリード楽器のリードをマウスピースに固定するためのリガチャーにおいて、
板状体の両端部が隙間を介して互いに対向するとともに同両端部間が前記リードが配置された前記マウスピースの外周形状に対応した略リング状に形成されたアルミニウム製の固定リング体と、
前記固定リング体の両端部を寄せ合わせる緊縛部とを有することを特徴とするリガチャー。
【請求項２】
請求項１に記載したリガチャーにおいて、
前記固定リング体は、
前記緊縛部側の軸線方向の長さが、前記緊縛部が対向する側の軸線方向の長さより長く形成されていることを特徴とするリガチャー。
【請求項３】
請求項１または請求項２に記載したリガチャーにおいて、
前記固定リング体は、
前記固定リング体における前記リードが接触する側の軸線方向の長さが、前記リードが対向する側の軸線方向の長さより長く形成されていることを特徴とするリガチャー。
【請求項４】
請求項１ないし請求項３のうちのいずれか１つに記載したリガチャーにおいて、
前記固定リング体は、アルマイト処理が施されていることを特徴とするリガチャー。
【請求項５】
請求項１ないし請求項４のうちのいずれか１つに記載したリガチャーにおいて、
前記固定リング体は、前記リードを押さえる内側面に突起体を備えることを特徴とするリガチャー。
【請求項６】
請求項１ないし請求項５のうちのいずれか１つに記載したリガチャーにおいて、
前記緊縛部は、アルミニウム材で構成されていることを特徴とするリガチャー。
【発明の詳細な説明】
【技術分野】
【０００１】
本発明は、シングルリード楽器においてリードをマウスピースに固定するためのリガチャーに関する。
【背景技術】
【０００２】
従来から、クラリネットやサクソフォンなどのシングルリード楽器においては、リードをマウスピースに固定するためにリガチャーと称される締め付け具が用いられている。リガチャーは、例えば、下記特許文献１に示されるように、主として、リードが配置されたマウスピースの外周形状に対応した略Ｃ字状の固定リング体と、この固定リング体における互いに対向する両端部を寄せ合って固定リング体の内径を縮小させる方向に変形させる緊縛部とで構成されている。
【先行技術文献】
【特許文献】
【０００３】
【特許文献１】特開平１０−１２４０４３号公報
【０００４】
このようなリガチャーは、シングルリード楽器の音源となるリードの振動を受け止める部品であるため、シングルリード楽器における吹奏感や音色に影響を与えることが知られている。このため、シングルリード楽器の奏者においては、吹奏感や音色に与える影響に応じた素材や形状のリガチャーを適宜選定して使用している。例えば、子供や女性の奏者においては、比較的弱い息でもシングルリード楽器の音を出し易いリガチャー、具体的には、固定リング体が金属製のリガチャーが多用されている。
【０００５】
しかしながら、比較的音が出し易い金属製のリガチャーであっても、元々発音が困難な階名（「音名」ともいう）、具体的には、運指を全閉する音である全閉音（クラリネットの階名におけるＡ）や、Ｇ♯キー使用音（クラリネットの階名におけるＦ♯）、Ａキー使用音（クラリネットの階名におけるＧ）、Ａキーおよびレジスタキー使用音（クラリネットの階名におけるＡ♭）などの全音の半分の音程である半音に対しては、より発音が容易となるリガチャーが常に求められるという問題がある。また、子供や女性の奏者においては、リガチャーの選択には吹奏感に加えてリガチャー自体のデザイン性が重視される傾向にある。しかし、金属製のリガチャーは、吹奏感や音色に与える影響を考慮して主として真鍮材で構成されているため、色のバリエーションが乏しくデザインの幅が極めて狭いという問題があった。なお、本明細書においては、「クラリネット」とは、特に断らない限り「Ｂ♭クラリネット」を指すものとする。
【０００６】
本発明は上記問題に対処するためなされたもので、その目的は、発音が困難な階名をより容易に発音させることができるとともに、色のバリエーションも容易に増やすことができるリガチャーを提供することにある。
【発明の概要】
【０００７】
上記目的を達成するため、請求項１に係る本発明の特徴は、シングルリード楽器のリードをマウスピースに固定するためのリガチャーにおいて、板状体の両端部が隙間を介して互いに対向するとともに同両端部間がリードが配置されたマウスピースの外周形状に対応した略リング状に形成されたアルミニウム製の固定リング体と、固定リング体の両端部を寄せ合わせる緊縛部とを有することにある。
【０００８】
このように構成した請求項１に係る本発明の特徴によれば、リガチャーは、板状体の両端部が隙間を介して互いに対向するとともに同両端部間が前記リードが配置された前記マウスピースの外周形状に対応した略リング状に形成された固定リング体がアルミニウム材で構成されている。これにより、本発明者による官能検査および発音させた音の周波数分析の結果によれば、固定リング体が真鍮材で構成された従来のリガチャーに比べて発音が困難な階名をより容易に発音させることができることを確認した。また、リガチャーの主要部である固定リング体をアルミニウム材で構成することにより固定リング体表面を容易に着色することができ、リガチャーの色のバリエーションも容易に増やすことができる。
【０００９】
また、請求項２に係る本発明の他の特徴は、前記リガチャーにおいて、固定リング体は、緊縛部側の軸線方向の長さが、緊縛部が対向する側の軸線方向の長さより長く形成されていることにある。
【００１０】
このように構成した請求項２に係る本発明の他の特徴によれば、リガチャーは、固定リング体が、緊縛部側の軸線方向の長さが緊縛部が対向する側の軸線方向の長さより長く形成されている。これにより、固定リング体における緊縛部の形成可能な領域が増加するため、緊縛部を固定リング体上に設け易くなり製造効率も向上する。
【００１１】
また、請求項３に係る本発明の他の特徴は、前記リガチャーにおいて、固定リング体は、固定リング体におけるリードが接触する側の軸線方向の長さが、リードが対向する側の軸線方向の長さより長く形成されていることにある。
【００１２】
このように構成した請求項３に係る本発明の他の特徴によれば、リガチャーは、固定リング体が、固定リング体におけるリードが接触する側の固定リング体における軸線方向の長さが、リードが対向する側の固定リング体における軸線方向の長さより長く形成されている。すなわち、固定リング体は、マウスピースにおけるリードの反対側表面に向かって接触面積が減少している。これにより、固定リング体が真鍮材で構成された従来のリガチャーに比べてリードの振動を効率的にマウスピースに伝達でき、より小さい吹く力でもシングルリード楽器を発音させることができる。
【００１３】
また、請求項４に係る本発明の他の特徴は、前記リガチャーにおいて、固定リング体は、アルマイト処理が施されていることにある。
【００１４】
このように構成した請求項４に係る本発明の他の特徴によれば、リガチャーは、アルマイト（陽極酸化皮膜）処理により固定リング体の耐食性および耐磨耗性などの耐久性を向上させることができるとともに、固定リング体表面に艶を付加させることもでき美観を向上させることもできる。また、リガチャーをアルマイト処理する際、着色アルマイト処理を用いることにより固定リング体に容易に着色することができる。これにより、豊富な色のバリエーションのリガチャーを経済的に製造することができる。
【００１５】
また、請求項５に係る本発明の他の特徴は、前記リガチャーにおいて、固定リング体は、リードを押さえる内側面に突起体を備えることにある。
【００１６】
このように構成した請求項５に係る本発明の他の特徴によれば、リガチャーは、固定リング体がリードを押さえる内側面に突起体を備えている。これにより、固定リング体は、リードをより確実にマウスピースに押圧して接触させることができ、リードからの振動をより確実に受けてマウスピースに伝達することができる。
【００１７】
また、請求項６に係る本発明の他の特徴は、前記リガチャーにおいて、緊縛部は、アルミニウム材で構成されていることにある。
【００１８】
このように構成した請求項６に係る本発明の他の特徴によれば、リガチャーは、緊縛部がアルミニウム素材で構成されている。すなわち、リガチャーは、アルミニウム材での構成比率が向上する。これにより、リガチャーは、アルミニウム以外の素材を含んで構成される場合に比べてリードから伝達される振動を変化させることなく精度良くマウスピースに伝達することができる。
【００１９】
また、本発明は、リガチャーの発明として実施できるだけでなく、シングルリード楽器におけるリードからマウスピースへの振動の伝達方法の発明としても実施できるものである。
【図面の簡単な説明】
【００２０】
【図１】本発明の一実施形態に係るリガチャーの全体構成を示す概略斜視図である。
【図２】図１に示すリガチャーを図示矢印方向から見た概略側面図である。
【図３】（Ａ），（Ｂ)は、クラリネットから階名Ｆ♯の音を発音させた際の発生音の周波数分析結果を示しており、（Ａ）は従来技術に係るリガチャーにおける周波数分析結果を示しており、（Ｂ）は本発明に係るリガチャーにおける周波数分析結果を示している。
【図４】（Ａ），（Ｂ)は、クラリネットから階名Ｇの音を発音させた際の発生音の周波数分析結果を示しており、（Ａ）は従来技術に係るリガチャーにおける周波数分析結果を示しており、（Ｂ）は本発明に係るリガチャーにおける周波数分析結果を示している。
【図５】（Ａ），（Ｂ)は、クラリネットから階名Ａ♭の音を発音させた際の発生音の周波数分析結果を示しており、（Ａ）は従来技術に係るリガチャーにおける周波数分析結果を示しており、（Ｂ）は本発明に係るリガチャーにおける周波数分析結果を示している。
【図６】（Ａ），（Ｂ)は、クラリネットから階名Ａの音を発音させた際の発生音の周波数分析結果を示しており、（Ａ）は従来技術に係るリガチャーにおける周波数分析結果を示しており、（Ｂ）は本発明に係るリガチャーにおける周波数分析結果を示している。
【図７】（Ａ），（Ｂ)は、クラリネットから階名Ｆの音を発音させた際の発生音の周波数分析結果を示しており、（Ａ）は従来技術に係るリガチャーにおける周波数分析結果を示しており、（Ｂ）は本発明に係るリガチャーにおける周波数分析結果を示している。
【図８】本発明の変形例に係るリガチャーの全体構成を示す概略正面図である。
【発明を実施するための形態】
【００２１】
以下、本発明に係るリガチャーの一実施形態について図面を参照しながら説明する。図１は、本発明に係るリガチャー１００の全体構成をマウスピース９０に装着した状態で示した概略斜視図である。また、図２は、リガチャー１００を図１における矢印方向から見た全体構成を示す概略側面図である。なお、本明細書において参照する各図は、本発明の理解を容易にするために一部の構成要素を誇張して表わすなど模式的に表している。このため、各構成要素間の寸法や比率などは異なっていることがある。このリガチャー１００は、クラリネットやサクソフォンなどの図示しないシングルリード楽器において、リード９１をマウスピース９０に固定するために用いられる締め付け具である。なお、図１において、マウスピース９０およびリード９１を二点鎖線（想像線）で示している。
【００２２】
（リガチャー１００の構成）
リガチャー１００は、固定リング体１０１を備えている。固定リング体１０１は、シングルリード楽器におけるリード９１をマウスピース９０に押し付けるためのアルミニウム製の板状部材である。具体的には、固定リング体１０１は、アルミニウム製の帯状の平板材の両端部を隙間を介して互いに対向させるとともに同両端部間をリード９１が配置されたマウスピース９０の外周形状に対応した略リング状に成形して形成されている。この場合、固定リング体１０１は、平板材の両端部間における中央部の幅（軸線方向の長さ）が両端部の幅（軸線方向の長さ）より短く形成されている。本実施形態においては、固定リング体１０１は、平板の両端部間の長さが約７３ｍｍ、両端部の幅が約２５ｍｍ、中央部の幅が約１１ｍｍおよび厚さが約０.８ｍｍの板材を略Ｃ字状に曲げ加工することにより成形されている。
【００２３】
この固定リング体１０１の両端部は、それぞれ平らに形成されているとともに、これらの上面に緊縛部１０２が設けられている。緊縛部１０２は、固定リング体１０１の両端部を互いに寄せ合うことにより固定リング体１０１の内径を縮小させるための部品であり、雄ネジ体１０３、貫通体１０４および雌ネジ体１０５によって構成されている。これらのうち雄ネジ体１０３は、雄ネジが形成されたアルミニウム製の棒体である。具体的には、雄ネジ体１０３は、棒体の胴部に雄ネジが形成されるとともに同雄ネジの反対側の先端部に扁平状の取っ手が形成されて構成されている。
【００２４】
貫通体１０４は、雄ネジ１０３が貫通する貫通孔が形成されたアルミニウム製の筒体であり、固定リング体１０１の両端部のうちの一方（図示左側）の端部に固定リング体１０１の軸線方向に直交する方向に沿って設けられている。この貫通体１０４は、２つの貫通体１０４が固定リング体１０１の軸線方向に沿って互いに平行に配置されてそれぞれロウ付け加工により固定リング体１０１に固着されている。
【００２５】
雌ネジ体１０５は、雄ネジ体１０３が噛合う雌ネジが形成されたアルミニウム製の筒体であり、固定リング体１０１の両端部のうちの他方（図示右側）の端部に前記貫通体１０４と同軸位置でそれぞれ設けられている。この雌ネジ体１０５も、前記貫通体１０４と同様に、２つの雌ネジ体１０５が固定リング体１０１の軸線方向に沿って互いに平行に配置されてそれぞれロウ付け加工により固定リング体１０１に固着されている。そして、これらの貫通体１０４および雌ネジ体１０５が固着された固定リング体１０１は、着色アルマイト処理により所定の色（例えば、赤色、青色、黄色、緑色、茶色、黒色、白色）にそれぞれ着色されている。また、雄ネジ体１０３は、ガラス粉を吹き付けるショットブラスト加工により素材色で構成されている。
【００２６】
（リガチャー１００の作動）
次に、このように構成したリガチャー１００の作動について説明する。まず、リガチャー１００の使用者は、マウスピース９０、リード９１およびリガチャー１００をそれぞれ用意する。この場合、リガチャー１００の雄ネジ体１０３は、貫通体１０４を貫通して雌ネジ体１０５にねじ込まれた状態となっている。次に、使用者は、リガチャー１００を用いてリード９１をマウスピース９０に固定する。具体的には、使用者は、雄ネジ体１０３を回動操作することにより、雌ネジ１０５への噛合い状態を緩めて固定リング体１０１の内径を拡げる。
【００２７】
次に、使用者は、リード９１をマウスピース９０の所定位置に配置した後、同リード９１が配置されたマウスピース９０をリガチャー１００の固定リング体１０１内に通す。この場合、使用者は、リガチャー１００の緊縛部１０２がリード９１側に位置する正締めとなるようにマウスピース９０を固定リング体１０１内に通す。そして、使用者は、リガチャー１００の雄ネジ体１０３を回動操作することにより締めてリガチャー１００をマウスピース９０上に仮止めする。次いで、使用者は、リガチャー１００のマウスピース９０上での締め付け位置を適宜調整した後、雄ネジ体１０３を回動操作することにより更に締め付ける。これにより、リガチャー１００の固定リング体１０１の内径が縮小することにより、リガチャー１００がマウスピース９０に締め付けられてリード９１がマウスピース９０に固定される。
【００２８】
次に、使用者は、リガチャー１００が取り付けられたマウスピース９０をバレル９３を介して図示しないシングルリード楽器に接続するとともに、他の調整作業を経てシングルリード楽器を演奏可能な状態とすることができる。これらのシングルリード楽器を演奏可能とするための他の調整作業や演奏過程については、本発明に直接関わらないためその説明は省略する。一方、演奏を終えてリガチャー１００をマウスピース９０から取り外す際には、使用者は前記リガチャー１００の取り付け作業とは逆の手順で行なう。すなわち、使用者は、リガチャー１００の雄ネジ体１０３を緩める方向に回動操作することにより固定リング体１０１の内径を拡張させる。そして、使用者は、固定リング体１０１をマウスピース９０から抜き取ることによりリガチャー１００をマウスピース９０から取り外すことができる。
【００２９】
次に、本発明者による官能検査および発生音の周波数分析の結果について説明する。本発明者は、クラリネットを演奏する中学生、高校生および一般成人（１２歳〜６０歳：中学生３１人、高校生２５人、一般成人８人）からなる６４人を被験者として、本発明に係るリガチャー１００の特徴を秘しつつ従来技術に係るリガチャー（真鍮製のリガチャー）と本発明に係るリガチャーとの吹奏感の相違について聞き取り調査を行った。また、本発明者は、従来技術に係るリガチャー（真鍮製のリガチャー）と本発明に係るリガチャーとに対して、クラリネットから特定の階名の音を発音させた際の発生音の周波数成分について分析を行なった。
【００３０】
まず、従来技術に係るリガチャーを装着したクラリネットの吹奏感と本発明に係るリガチャー１００を装着したクラリネットの吹奏感との相違について説明する。本発明者は、同一のクラリネットに対して従来技術に係るリガチャーと本発明に係るリガチャー１００とを同一条件（装着の位置や向き、締め具合）で付け替えて前記被験者に同一曲を演奏してもらった上でこれらの各リガチャーにおける吹奏感をそれぞれ聞き取り調査した。
【００３１】
その結果、被験者６４人中６１人の被験者が、本発明に係るリガチャー１００を装着したクラリネットの方が、従来技術に係るリガチャーを装着したクラリネットに比べて、低音の音量が増加したこと、および息が楽に演奏することができことをそれぞれ顕著に感じたと答えた。この場合、被験者は、特に１６分音符や３２分音符などの細かい音が連続するフレーズや、長音前後の装飾音符などの微細なパッセージにおいて音の輪郭が鮮明になり、より楽譜に忠実に演奏できるとの吹奏感を得た。
【００３２】
一方、被験者６４人中３人の被験者が、本発明に係るリガチャー１００を装着したクラリネットの吹奏感と、従来技術に係るリガチャーを装着したクラリネットの吹奏感との間で相違を感じなかったと答えた。すなわち、この官能検査においては、約９５％の被験者が本発明に係るリガチャー１００の装着による低音の増加およびクラリネットに吹き込む息の量の減少による吹奏感の向上を感受する結果となった。
【００３３】
次に、特定の階名の音の発生音に対する周波数成分の分析の結果について説明する。本発明者は、同一のクラリネットに対して従来技術に係るリガチャーと本発明に係るリガチャー１００とを同一条件（装着の位置や向き、締め具合）で付け替えて同一の階名の音を発音させた。そして、本発明者は、各階名の発音時のクラリネットのベルの振動を検出するとともに、同検出した振動データを高速フーリエ変換（ＦＦＴアナライザ）により２５Ｈｚごとの周波数の振動を電圧の利得に変換してそれぞれグラフ化した。
【００３４】
図３（Ａ），（Ｂ）〜図７（Ａ），（Ｂ）は、階名ごとに発音させた発生音の周波数成分をグラフ化したものであり、縦軸は電圧（ｄＢＶ）、横軸は周波数（Ｈｚ）である。本実験においてクラリネットから発音させた音は、クラリネットの特性上発音が困難とされている音である半音Ｆ♯、Ｇ、Ａ♭、全閉音Ａ、および最も発音し易い音とされている運指を全開する音である全開音Ｆである。
【００３５】
図３（Ａ），（Ｂ）は、クラリネットから半音Ｆ♯を発音させたときの発生音の周波数成分と利得との関係をそれぞれ示しており、（Ａ）は従来技術に係るリガチャーを使用した場合の周波数成分と利得との関係を示しており、（Ｂ）は本発明に係るリガチャー１００を使用した場合の周波数成分と利得との関係を示している。図３（Ａ），（Ｂ）から明らかなように、周波数が約１０００Ｈｚ〜約５０００Ｈｚの範囲で利得が増大しており、特に周波数が約１０００Ｈｚ〜約３０００Ｈｚの範囲で利得が３倍以上増大しており、利得の増大が顕著である。
【００３６】
図４（Ａ），（Ｂ）は、クラリネットから半音Ｇを発音させたときの発生音の周波数成分と利得との関係をそれぞれ示しており、（Ａ）は従来技術に係るリガチャーを使用した場合の周波数成分と利得との関係を示しており、（Ｂ）は本発明に係るリガチャー１００を使用した場合の周波数成分と利得との関係を示している。図４（Ａ），（Ｂ）から明らかなように、周波数が約１０００Ｈｚ〜約６０００Ｈｚの範囲で利得が増大しており、特に周波数が約１０００Ｈｚ〜約３０００Ｈｚの範囲で利得が約３倍増大しており、利得の増大が顕著である。
【００３７】
図５（Ａ），（Ｂ）は、クラリネットから半音Ａ♭を発音させたときの発生音の周波数成分と利得との関係をそれぞれ示しており、（Ａ）は従来技術に係るリガチャーを使用した場合の周波数成分と利得との関係を示しており、（Ｂ）は本発明に係るリガチャー１００を使用した場合の周波数成分と利得との関係を示している。図５（Ａ），（Ｂ）から明らかなように、周波数が約３０００Ｈｚ〜約５０００Ｈｚの範囲で利得が増大している。
【００３８】
図６（Ａ），（Ｂ）は、クラリネットから運指が全閉音Ａを発音させたときの発生音の周波数成分と利得との関係をそれぞれ示しており、（Ａ）は従来技術に係るリガチャーを使用した場合の周波数成分と利得との関係を示しており、（Ｂ）は本発明に係るリガチャー１００を使用した場合の周波数成分と利得との関係を示している。図６（Ａ），（Ｂ）から明らかなように、周波数が約１０００Ｈｚ〜約４０００Ｈｚの範囲で利得が増大しており、特に周波数が約１５００Ｈｚ〜約３０００Ｈｚの範囲で利得が約３倍増大しており、利得の増大が顕著である。
【００３９】
図７（Ａ），（Ｂ）は、クラリネットから運指が全開音Ｆを発音させたときの発生音の周波数成分と利得との関係をそれぞれ示しており、（Ａ）は従来技術に係るリガチャーを使用した場合の周波数成分と利得との関係を示しており、（Ｂ）は本発明に係るリガチャー１００を使用した場合の周波数成分と利得との関係を示している。図７（Ａ），（Ｂ）から明らかなように、周波数が約１５００Ｈｚ〜約４０００Ｈｚの範囲で利得が増大しており、特に周波数が約２０００Ｈｚ〜約３０００Ｈｚの範囲で利得が約３倍増大しており、利得の増大が顕著である。
【００４０】
図３（Ａ），（Ｂ）〜図７（Ａ），（Ｂ）から明らかなように、本発明に係るリガチャー１００を装着したクラリネットにおいては、周波数が概ね１０００Ｈｚ〜４０００Ｈｚの範囲の低周波数領域での利得の増大が著しい。このことは、本発明に係るリガチャー１００を装着したクラリネットが、従来技術に係るリガチャーと同じ条件で吹奏した場合であっても、低音の音量が豊かになって音の厚みがました重厚な音を発音できることを意味しており、前記官能検査の結果とも一致する。
【００４１】
また、図６（Ａ），（Ｂ）に示すように、全閉音Ａを発音させる場合において利得が増大したということは、従来技術に係るリガチャーの使用時と同じ息量でより大きな音量の音を発音できることを意味している。これは、換言すれば、従来技術に係るリガチャーの使用時と同じ音量の音であればより少ない息量で発音できることをも意味している。そして、これらの結果も前記官能検査の結果とも一致する。また、図７（Ａ），（Ｂ）に示すように、全開音Ｆのように発音が比較的容易とされる階名についても利得が増大しており、発音が容易な階名を発音させる際においてもより少ない息量で発音させることができることを意味している。
【００４２】
なお、本発明者による前記周波数成分の分析の結果によって、本発明に係るリガチャー１００を使用することにより従来のリガチャーの使用時に比べて低音領域を中心に３倍以上も利得を増大させるという顕著な作用効果を確認できたとともに、クラリネットの吹き易さの改善を利得の増大という数値でも裏付けることができた。しかし、元来、吹奏感などの「吹き心地の良さ」を数値化することは極めて困難である。そもそも楽器の演奏は精神的な活動であるので、前記利得の増大量が仮に僅かであっても「吹き心地の良さ」という感覚に与える影響は決して少なくない。そして、楽器の演奏は、この「吹き心地の良さ」によって奏者のイマジネーションが刺激されてより豊かに表現されるものである。このような意味で、前記官能試験の結果は極めて重要であり、本発明に係るリガチャー１００の使用による吹奏感の向上を９５％以上の被験者が実感したことは極めて顕著な作用効果であると言える。
【００４３】
上記作動説明からも理解できるように、上記実施形態によれば、リガチャー１００は、リード９１が配置されたマウスピース９０の外周部を覆う略Ｃ字状の固定リング体１０１がアルミニウム材で構成されている。これにより、本発明者による官能検査および発音の周波数分析の結果によれば、固定リング体１０１が真鍮材で構成された従来のリガチャーに比べて発音が困難な階名をより容易に発音させることができることを確認した。また、リガチャーの主要部である固定リング体１０１をアルミニウム材で構成することにより固定リング体１０１の表面を容易に着色することができ、リガチャー１００の色のバリエーションも容易に増やすことができる。
【００４４】
さらに、本発明の実施にあたっては、上記実施形態に限定されるものではなく、本発明の目的を逸脱しない限りにおいて種々の変更が可能である。
【００４５】
例えば、上記実施形態においては、リガチャー１００は、固定リング体１０１および緊縛部１０２をアルミニウム材で構成した。しかし、リガチャー１００は、必ずしも、構成部材のすべてをアルミニウム材で構成する必要はなく、少なくとも固定リング体１０１がアルミニウム材で構成されていればよい。例えば、緊縛部１０２を構成する雄ネジ体１０３、貫通体１０４および雌ネジ体１０５の一部または全部をアルミニウム材以外の素材、例えば、金属材や樹脂材で構成することもできる。
【００４６】
また、上記実施形態においては、リガチャー１００は、固定リング体１０１が緊縛部１０２側の軸線方向の長さが、緊縛部１０２が対向する側の軸線方向の長さより長く形成されている。換言すれば、固定リング体１０１は、平板材の両端部間における中央部の幅が両端部の幅より短く形成されている。これにより、固定リング体１０１における緊縛部１０２の貫通体１０４および雌ネジ体１０５の取り付け可能な領域が増加するため、貫通体１０４および雌ネジ体１０５を固定リング体１０１上に設け易くなり製造効率も向上する。しかし、リガチャー１００の固定リング体１０１は、固定リング体１０１におけるリガチャー１００の軸線方向の長さが均一な平板材、換言すれば、幅が均一な平板材で構成することもできる。
【００４７】
また、上記実施形態においては、リガチャー１００の固定リング体１０１は、リード９１が接触する側の軸線方向の長さが、リード９１が対向する側の軸線方向の長さより長く形成されている。すなわち、固定リング体１０１は、マウスピース９０におけるリード９１の反対側表面に向かって接触面積が減少している。これにより、固定リング体１０１が真鍮材で構成された従来のリガチャーに比べてリード９１の振動を効率的にマウスピース９０に伝達でき、より小さいまたは少ない息量でもシングルリード楽器を発音させることができる。しかし、リガチャー１００の固定リング体１０１は、前記と同様に、固定リング体１０１におけるリガチャー１００の軸線方向の長さが均一な平板材、換言すれば、幅が均一な平板材で構成することもできる。
【００４８】
また、上記実施形態においては、リガチャー１００は、着色アルマイト（陽極酸化皮膜）処理によって使用者の好みに応じた色に着色されている。これにより、豊富な色のバリエーションのリガチャー１００を経済的に製造することができる。しかし、リガチャー１００の着色方法は、着色アルマイト処理に限定されるものではない。例えば、塗装、コーティング処理、化成処理およびメッキ処理などの各種表面処理によってリガチャー１００の表面に着色することができる。また、これらの各種表面処理に変えてまたは加えてショットブラスト加工、ヘアライン加工および研磨加工などによりリガチャー１００の表面を様々な質感に成形することができる。また、着色処理を省略してアルミニウム材本来の素材色をリガチャー１００の色として構成することもできる。
【００４９】
また、上記実施形態においては、リガチャー１００は、固定リング体１０１が開口部のない中実の板状体で構成されている。しかし、固定リング体１０１は、固定リング体１０１を構成する板状体の一部に開口部を形成して構成することもできる。例えば、固定リング体１０１におけるマウスピース９０が接する板状部分に方形や円形の貫通した開口部を形成することができる。これによれば、固定リング体１０１とマウスピース９０との接触面積や接触位置を適宜調節することによって、従来技術に係るリガチャーと同様に、リガチャー１００を装着したシングルリード楽器の音色や吹奏感を変化させることができる。
【００５０】
また、上記実施形態においては、リガチャー１００は、緊縛部１０２がマウスピース９０に配置されたリード９１側に位置する正締め用として構成されている。しかし、リガチャー１００は、緊縛部１０２がマウスピース９０に配置されたリード９１とは反対側に位置する逆締め用として構成することもできる。
【００５１】
また、上記実施形態においては、リガチャー１００は、マウスピース９０上に配置されたリード９１を押える固定リング体１０１の両端部の内側面は平面状に形成されている。しかし、リガチャー１００は、図８に示すように、固定リング体１０１がリード９１を押さえる各内側面に突起体１０６をそれぞれ形成して構成することもできる。この場合、突起体１０６は、固定リング体１０１がリード９１を押さえる各内側面に軸線方向に沿って連続的または断続的に形成することができる。これによれば、固定リング体１０１は、リード９１の位置や傾きに寄らずより確実にマウスピース９０に押圧されて接触することができ、リード９１からの振動をより確実にマウスピース９０に伝達することができる。
【００５２】
また、上記実施形態におけるリガチャー１００は、クラリネットに接続されるマウスピース９０に対してリード９１を固定する締め付け具とした。しかし、リガチャー１００は、マウスピース９０に取り付けられたリードの振動により発音するシングルリード楽器、例えば、Ｂ♭クラリネット以外の各種クラリネットおよびサクソフォンなどに広く適用できるものである。
【符号の説明】
【００５３】
９０…マウスピース、９１…リード、９２…バレル、
１００…リガチャー、１０１…固定リング体、１０２…緊縛部、１０３…雄ネジ体、１０４…貫通体、１０５…雌ネジ体、１０６…突起体。
【図１】
2012022055.tif 000003
【図２】
2012022055.tif 000004
【図８】
2012022055.tif 000005
【図３】
2012022055.tif 000006
【図４】
2012022055.tif 000007
【図５】
2012022055.tif 000008
【図６】
2012022055.tif 000009
【図７】
2012022055.tif 000010